(57)【要約】  本発明は、遠心分離機（１０）、および遠心分離機ローターの衝突の後で遠心分離機（１０）内の可燃性温度制御媒体の発火を防止するための方法に関し、発火は、衝突の際に保護ガスを放出することによって防止される。より正確には、放出された保護ガスは、遠心分離機（１０）の内側および外側の両方で発火が発生しないように、酸素に置換し、既存の温度制御媒体を分散させ、かつ、温度制御媒体に対する酸素濃度の現在の比率を根本的に変える流れを形成する。その結果、可燃性温度制御媒体であっても、遠心分離機（１０）の温度制御の観点で安全上の懸念を生じることなく使用可能である。
2021506582.tif 000002
【特許請求の範囲】
【請求項１】
遠心分離機（１０）、特に実験用遠心分離機であって、遠心分離機ローター（２０、２０’）を収容可能な遠心分離機容器（１６）と、前記遠心分離機ローター（２０、２０’）を駆動するためのモーター（１８）と、前記遠心分離機ローター（２０、２０’）の温度を制御する温度制御手段（２４、４２、４４）と、前記遠心分離機容器（１６）、前記遠心分離機ローター（２０、２０’）、前記温度制御手段（２４、４２、４４）および前記モーター（１８）が収容される筐体（１２）とを有し、前記温度制御手段（２４、４２、４４）は、温度制御媒体ライン（２４）において案内される可燃性温度制御媒体を含み、前記遠心分離機（１０）は保護ガスを含み、かつ、前記遠心分離機ローター（２０、２０’）の衝突の際に前記保護ガスを放出するように適合されていることを特徴とする、遠心分離機（１０）。
【請求項２】
前記保護ガスは、好ましくはアルゴン、ヘリウム、二酸化炭素、クリプトン、ネオン、窒素およびキセノンからなる群のうち少なくとも１種類のガスを含む不活性ガスであることを特徴とする、請求項１に記載の遠心分離機（１０）。
【請求項３】
前記保護ガスは、少なくとも１つ、好ましくは複数の巻線（３６）を有する前記遠心分離機容器（１６）の周囲で延在する保護ガスライン（２６）内で案内されることを特徴とする、請求項１または２に記載の遠心分離機（１０）。
【請求項４】
前記保護ガスライン（２６）は、好ましくは大気圧より高い圧力で前記保護ガスを含有する保護ガス源（３４）に接続されていることを特徴とする、請求項３に記載の遠心分離機（１０）。
【請求項５】
スロットル要素、特に恒久的に調節されたスロットル要素が前記保護ガスライン（２６）と前記保護ガス源（３４）との間に配置されることを特徴とする、請求項４に記載の遠心分離機（１０）。
【請求項６】
前記保護ガスライン（２６）の少なくとも２つの部分（２８、３０）、好ましくはそれ以上の、特に各巻線が前記保護ガス源（３４）に並行に接続されていることを特徴とする、請求項３〜５のいずれか１項に記載の遠心分離機（１０）。
【請求項７】
前記保護ガスライン（２６）は少なくとも、前記温度制御媒体ライン（５０）の隣および／または下方の前記遠心分離機容器（１６）に対する領域（３６）に配置されることを特徴とする、請求項３〜６のいずれか１項に記載の遠心分離機（１０）。
【請求項８】
前記保護ガスライン（２６）および前記温度制御媒体ライン（２４）は、それぞれの巻線長さの好ましくは少なくとも４分の１にわたって、最も好ましくは少なくとも３分の１にわたって、特に少なくとも２分の１にわたって、少なくとも複数の領域において互いに接続されている、好ましくは半田付けされていることを特徴とする、請求項３〜７のいずれか１項に記載の遠心分離機（１０）。
【請求項９】
前記保護ガスライン（２６）は、少なくとも複数の領域において、前記温度制御媒体ライン（２４）と比較して薄い肉厚を有することを特徴とする、請求項３〜８のいずれか１項に記載の遠心分離機（１０）。
【請求項１０】
前記保護ガスライン（２６）および／または前記温度制御媒体ライン（２４）は、前記遠心分離機容器（１６）に直接配置される、または少なくとも複数の領域で前記遠心分離機容器（１６）の壁の構成要素であることを特徴とする、請求項３〜９のいずれか１項に記載の遠心分離機（１０）。
【請求項１１】
前記保護ガス用の１つのチャネルおよび前記焼戻し媒体用の１つのチャネルが存在するように、マルチチャネルシステムが設けられていることを特徴とする、前記請求項のいずれか１項に記載の遠心分離機。
【請求項１２】
前記保護ガスの状態、好ましくは前記保護ガスの圧力および／または量に関する監視手段（３８）が設けられ、前記監視手段（３８）は、前記保護ガスの状態に関して所定の値に到達しない場合に、前記遠心分離機ローター（２０、２０’）の回転速度を、前記遠心分離機ローター（２０、２０’）の衝突について臨界でない値に制限するように適合されていることを特徴とする、前記請求項のいずれか１項に記載の遠心分離機（１０）。
【請求項１３】
前記遠心分離機（１０）の動作中に、空気を前記筐体の内部から前記遠心分離機（１０）の環境内に連続して案内するファンが設けられていることを特徴とする、前記請求項のいずれか１項に記載の遠心分離機（１０）。
【請求項１４】
遠心分離機ローター（２０、２０’）の衝突の後に遠心分離機（１０）における可燃性焼戻し媒体の発火を防止するための方法であって、特に実験用遠心分離機として設計される前記遠心分離機（１０）は、前記遠心分離機ローター（２０、２０’）を収容可能な遠心分離機容器（１６）と、前記遠心分離機ローター（２０、２０’）を駆動するためのモーター（１８）と、前記遠心分離機ローター（２０、２０’）の温度を制御する温度制御手段（２４、４２、４４）と、前記遠心分離機容器（１６）、前記遠心分離機ローター（２０、２０’）、前記温度制御手段（２４、４２、４４）および前記モーター（１８）が収容される筐体（１２）とを含み、前記温度制御手段（２４、４２、４４）は、温度制御媒体ライン（２４）内で案内される可燃性温度制御媒体を含み、前記遠心分離機ローター（２０、２０’）の衝突の際に保護ガスが放出されることを特徴とする、方法。
【請求項１５】
請求項１〜１３のいずれか１項に記載の前記遠心分離機（１０）が用いられることを特徴とする、請求項１４に記載の方法。
【発明の詳細な説明】
【技術分野】
【０００１】
本発明は、請求項１に記載の一般名称に係る遠心分離機、および請求項１４に記載の一般名称に係る可燃性焼戻し媒体の発火を防ぐための方法に関する。
【背景技術】
【０００２】
遠心分離機ローターが、質量慣性を利用することによってそれらにおいて遠心分離された試料の成分を分離するために、遠心分離機、特に実験用遠心分離機で用いられる。その際に、高分離速度を実現するためにさらに速い回転速度が用いられる。実験用遠心分離機は、好ましくは少なくとも３０００、好ましくは少なくとも１００００、特に少なくとも１５０００毎分回転数でそれらのローターが動作する遠心分離機であり、通常、台に置かれる。作業台に置くことができるように、遠心分離機は、１ｍ×１ｍ×１ｍ未満のフォームファクタを有する。そのため、遠心分離機の設置スペースは制限されている。その際に、装置の奥行きは、最大で７０ｃｍに制限されていることが好ましい。
【０００３】
そのような遠心分離機は、医学、薬学、生物学および化学などの分野で使用されている。
【０００４】
遠心分離される試料は試料容器に貯蔵され、そのような試料容器は、遠心分離機ローターによる回転で駆動される。その際に、遠心分離機ローターは通常、電動機によって駆動される垂直駆動シャフトによる回転でセットされる。用途に応じて使用される異なる遠心分離機ローターが存在する。それによって、複数の試料を同時に１つの試料容器で遠心分離することができるように、試料容器は直接試料を収容し得る、または、試料容器は試料を収容するそれら自体の試料入れを有し得る。一般に、固定角ローターおよびスイングアウトローターの形状の遠心分離機ローターが知られている。
【０００５】
ほとんどの場合、試料は定義された温度で遠心分離されるものである。たとえば、そのような試料の温度制御についての上限が通常＋４０℃の範囲であるように、タンパク質および類似の有機物質を含有する試料を過熱してはならない。他方で、特定の試料は、デフォルトで＋４℃（水の変態は３．９８℃で開始する）の範囲で冷却される。
【０００６】
たとえば約＋４０℃のそのような所定最高温度およびたとえば＋４℃の標準試験温度に加えて、そのような温度で遠心分離機の冷凍システムが室温より低い温度で制御された態様で動作しているかどうかを調べるために、たとえば１１℃でさらに別の標準試験温度が設けられている。他方で、職業上の安全目的から、＋６０℃以上の温度を有する要素に接触するのを防ぐことが必要である。
【０００７】
原則として、温度制御のために能動的および受動的なシステムを用いることが可能である。受動的なシステムは、空気補助換気に基づく。この空気は遠心分離機ローターを越えて直接案内されて、温度制御が行われる。その際に、空気は遠心分離機内へ開口部を通って、およびさらに別の開口部を介して吸入され、加熱された空気が遠心分離機容器の別の地点において再び排出されて、遠心分離機ローターの回転によって吸入および排出が独立して行われる。
【０００８】
他方で、能動的な冷却システムは、遠心分離機ローターおよびその内部に収容された試料容器を間接的に冷却する遠心分離機容器の温度を調整する冷媒回路を有する。冷却または焼戻し媒体として、多くの異なる媒体が使用されている。原則として、特に遠心分離中は冷却（すなわち、熱還元）だけでなく熱の上昇も求められることがあるため、本発明は、温度の制御および温度制御媒体に言及する。クロロジフルオロメタン、テトラフルオロエタン、ペンタフルオロエタンまたはジフルオロメタンおよびその他多くなどの、遠心分離機用に通常用いられる焼戻し媒体に加えて、ブタンまたはプロパンなどの可燃性焼戻し媒体、またはさまざまな合成混合物もある。
【０００９】
そのような可燃性焼戻し媒体はきわめて良好な伝熱特性を有するが、遠心分離機ローターの衝突の際に焼戻し手段の漏れおよび発火が発生することがあるため、通常は安全上の理由から使用されない。そのような衝突の際は、遠心分離機ローターの破片が高速で、それゆえ遠心分離機内できわめて高いエネルギーで作動することがあり、これによって、蒸発器および温度制御媒体を保持しているラインが壊れる。漏れている可燃性焼戻し媒体はその後、衝突の際に放出されたエネルギーによって、および遠心分離機内のまたはその付近の電気もしくは電子構成要素によって発火しやすくなり、深刻な損害、特に人身傷害を引き起こすことがある。
【００１０】
遠心分離機ローターの衝突が遠心分離機の外側で損害を招くのを防ぐために、遠心分離機内部の補強および強化手段が既に提案されている。しかしながら、これは焼戻し媒体が漏れることを防げないであろう。なぜなら、蒸発器を形成する焼戻し手段のラインは、遠心分離機ローターと強化手段との間のそのような強化手段に対して、遠心分離機容器の周囲で動作するからである。
【発明の概要】
【発明が解決しようとする課題】
【００１１】
したがって、本発明の目的は、遠心分離機ローターの衝突の際の安全上のリスクを提起することなく、可燃性焼戻し媒体についても使用可能な遠心分離機を提案することである。
【課題を解決するための手段】
【００１２】
この目的は、請求項１に記載の遠心分離機、および請求項１４に記載の、可燃性焼戻し媒体の発火を防止するための方法で達成される。有利なさらに別の形態が、下位クレームにおいておよび図面と共に以下の説明において示される。
【００１３】
発明者の側では、酸素温度媒体混合物が発火しやすくならないように遠心分離機ローターの衝突の際に保護ガスを放出することによって、驚くほど簡単な態様でそのような目的を達成できることが認識されている。より正確には、放出された保護ガスは、遠心分離機の内側または外側のいずれかで発火が発生しないような態様で、酸素に置換し、漏れている焼戻し媒体を分散させ、かつ、焼戻し媒体に対する酸素の一時的な濃度比を根本的に変化させる流れを形成する。
【００１４】
そのため、本発明に係る遠心分離機、特に実験用遠心分離機は、遠心分離機ローターを収容可能な遠心分離機容器と、遠心分離機ローターを駆動するためのモーターと、遠心分離機ローターの温度を制御する温度制御手段と、遠心分離機容器、遠心分離機ローター、温度制御手段およびモーターが収容される筐体とを有し、温度制御手段は、温度制御媒体ラインにおいて案内される可燃性温度制御媒体を含み、遠心分離機は保護ガスを含み、かつ、遠心分離機ローターの衝突の際に保護ガスを放出するように適合されていることを特徴とする。
【００１５】
有利なさらに別の形態では、保護ガスは、好ましくはアルゴン、ヘリウム、二酸化炭素、クリプトン、ネオン、窒素およびキセノンからなる群のうち少なくとも１種類のガスを含む不活性ガスとする。このようなガスは、特に効果的な保護ガスである。
【００１６】
有利なさらに別の形態では、保護ガスは、少なくとも１つの、好ましくは複数の巻線を有する遠心分離機容器の周囲で延在する保護ガスライン内で案内されるものとする。これによって、保護ガスは、遠心分離機容器内の遠心分離機ローターが衝突の際に保護ガスラインを常に即座に破壊し、そのため自動的に保護ガスを放出するように、遠心分離機容器に可能な限り近接して案内される。
【００１７】
有利なさらに別の形態では、保護ガスラインは、好ましくは大気圧より高い圧力で保護ガスを含有する保護ガス源に接続されているものとする。これによって、多量の保護ガスが、遠心分離機ローターの衝突の際に継続して放出される。大気圧より高い圧力の場合、保護ガスの流れは外部エネルギーには依存せず、遠心分離機内の空気の酸素が置換されるだけでなく、環境において移動する大気を作り出しそれゆえ生成された混合物をさらに希釈する遠心分離機外部の気流があり、発火を防止する。
【００１８】
有利なさらに別の形態では、スロットル要素、特に恒久的に調節されたスロットル要素が、保護ガスラインと保護ガス源との間に配置されるものとする。これにより、保護ガスの突然の膨張が防止され、かつ、保護ガスの流出時間が長くなって、周囲空気が長時間置換され、かつ、漏れている焼戻し媒体が漏れている保護ガスと混合され、これによって拡散される。
【００１９】
有利なさらに別の形態では、少なくとも２つの部分、好ましくはそれより多くの部分が、特に保護ラインの各巻線が保護ガス源に並行に接続されているものとする。これにより、保護ガスラインのどの部分が衝突によって開口しているかにかかわらず、十分な量の保護ガスが放出される。
【００２０】
有利なさらに別の形態では、保護ガスラインは少なくとも、温度制御媒体ラインの隣および／または下方の遠心分離機容器に対する複数の領域に配置されているものとする。そうすると、保護ガスラインは常に、最初にまたは少なくとも温度制御媒体ラインと同時に開かれる。さらに、保護ガスラインは、温度制御媒体ラインが開くことを防止できるように、さらに別の衝突緩衝体を形成する。
【００２１】
有利なさらに別の形態では、保護ガスラインおよび温度制御媒体ラインは、それぞれの巻線長さの好ましくは少なくとも４分の１にわたって、最も好ましくは少なくとも３分の１にわたって、特に少なくとも２分の１にわたって、少なくとも複数の領域において外部接続されている、好ましくは半田付けされているものとする。これは、特に良好な熱伝導を好む。半田付け接続が温度制御媒体ラインと比較して裂けやすいことが好ましい場合、保護ガスラインは温度制御媒体ラインと比較して早く開かれる。
【００２２】
有利なさらに別の形態では、保護ガスラインは、少なくとも複数の領域において、温度制御媒体ラインと比較して薄い肉厚を有するものとする。これによって確実に、保護ガスは焼戻し媒体の前に優先して放出される。
【００２３】
有利なさらに別の形態では、保護ガスラインおよび／または温度制御媒体ラインは、遠心分離機容器に直接配置される、または少なくとも複数の領域で遠心分離機容器の壁の構成要素であるものとする。これによっても、熱伝導が特に効果的になり、設置スペースは必要であればさらに小さく維持可能である。
【００２４】
有利なさらに別の形態では、保護ガス用の１つのチャネルおよび焼戻し媒体用の１つのチャネルが存在するように、マルチチャネルシステムが形成されるものとする。これによっても、熱伝導が特に効果的になり、必要であれば設置スペースをさらに小さく維持可能である。
【００２５】
有利なさらに別の形態では、保護ガスの状態、好ましくは保護ガスの圧力および／または量に関する監視手段が存在し、監視手段は、保護ガスの状態に関して所定の値に到達しない場合に、各場合において使用される遠心分離機ローターの回転速度を、遠心分離機ローターの衝突について臨界でない値に制限するように適合されている、たとえば、圧力および量が所定の値を下回るものとする。これによって、十分な保護ガスを提供可能である場合、危険を伴うローター動作のみが行われることが確実になる。
【００２６】
有利なさらに別の形態では、遠心分離機の動作中に、空気を筐体の内部から遠心分離機の環境内に常に案内するファンが設けられているものとする。これによって、遠心分離機内の可燃性媒体の濃度が減少し、そのため、発火しやすい混合物が形成されるリスクを低下させる。
【００２７】
遠心分離機ローターの衝突の後に遠心分離機内の可燃性焼戻し媒体の発火を防止するための本発明に係る方法について、独立した保護が請求される。特に実験用遠心分離機として設計される遠心分離機は、遠心分離機ローターを収容可能な遠心分離機容器と、遠心分離機ローターを駆動するためのモーターと、遠心分離機ローターの温度を制御する温度制御手段と、遠心分離機容器、遠心分離機ローター、温度制御手段およびモーターが収容される筐体とを備え、温度制御手段は、温度制御媒体ライン内で案内される可燃性温度制御媒体を含み、この方法は、遠心分離機ローターの衝突の際に保護ガスが放出されることを特徴とする。
【００２８】
有利なさらに別の形態では、本発明に係る遠心分離機が使用される。
本発明の特徴およびさらに他の利点は、図面と共に好ましい例示的な実施形態を説明することによって、以下で明らかになるであろう。図面は単に模式的に示されている。
【図面の簡単な説明】
【００２９】
【図１】本発明に係る遠心分離機の斜視図である。
【図２】図１の本発明に係る遠心分離機を右から見た第１の部分断面図である。
【図３】図１の本発明に係る遠心分離機を左から見た第２の部分断面図である。
【図４】図２の詳細図である。
【発明を実施するための形態】
【００３０】
図１〜図４では、本発明に係る遠心分離機１０がさまざまな図で単に模式的に示されている。
【００３１】
遠心分離機１０は、カバー１４および動作前部１５を有する筐体１２を有する実験用遠心分離機として設計されていることが分かる。遠心分離機１０の遠心分離機容器１６には、遠心分離機モーター１８の駆動シャフト（図示せず）上に遠心分離機ローター２０が配置され、遠心分離機ローター２０は、遠心分離機ビーカー２２を有するスイングアウトローターとして設計されている。
【００３２】
図２では、遠心分離機容器１６が温度制御媒体ライン２４の巻線および保護ガスライン２６の巻線によって囲まれていることが分かる。（図２では、本発明が遠心分離機ローター２０、２０’のまさにその種類に依存しないことを示すために、遠心分離機ローター２０’は固定角ローターとして示されている）。
【００３３】
保護ガスライン２６の２つの端部２８、３０は一緒にされ、それゆえ、保護ガス容器３４の供給ライン３２と並行に接続されている。保護ガス容器３４は、大気圧より高い圧力で保護ガス、たとえば液化ガスとして、多量（たとえば、１０００ｇ）の二酸化炭素を収容する。
【００３４】
保護ガス容器３４から保護ガスライン２６の全ての可能なポイントまでのライン長さを短く維持するために、代替として、交差接続（図示せず）によって個々の巻線３６が互いに接続されていてもよい。
【００３５】
圧力スイッチ３８が保護ガス容器３４上に配置され、この圧力スイッチは、プラグ４０を介して遠心分離機１０の制御システム（図示せず）に接続されている。
【００３６】
温度制御媒体ライン２４は（筐体１２の換気スロット４３の背後の）圧縮機４２およびフィルタ乾燥機４４に通常の態様で接続されている。
【００３７】
図２ではまた、遠心分離機１０は、遠心分離機ローター２０’の衝突の際にその部品が遠心分離機１０から外に出ることが可能になるのを防ぐように設けられた、ベースプレート４６の隣の保護カバー４８を有していることが分かる。それゆえ、そのような保護カバー４８は、衝突エネルギーを十分吸収できるような態様で材料の観点から大きさを決められ、設計される。保護カバー４８と遠心分離機容器１６との間には、断熱体４９が存在する。
【００３８】
温度制御媒体ライン２４の巻線、特に巻線部分５０、５２は、蒸発器を形成する。これによって、巻線部分５０は保護ガスライン２６の巻線３６上に位置し、巻線部分５２は保護ガスライン２６の巻線３６の隣に位置する。
【００３９】
保護ガスライン２６の巻線３６の外装面は、半田付け接続５４（図４を参照）によってそれらの上に配置された温度制御媒体ライン２４の巻線部分５０に外部接続され、保護ガスライン２６および保護ガスライン２６の隣に配置された温度制御媒体ライン２４の巻線５２は、遠心分離機容器１６に選択的に半田付けされている（図示せず）。これによって、温度制御媒体ライン２４は、遠心分離機容器１６に向かう巻線５０、５２の全ての領域において十分な熱伝導を有し、そのため確実に、遠心分離機ローター２０’およびその内部に収容された試料（図示せず）が十分積極的および間接的に焼戻しされる。その際に、半田付け接続の強度は、温度制御媒体ライン２４自体がここで裂ける前に巻線部分５０の領域において温度制御媒体ライン２４に対する接続が裂けるようになっている。
【００４０】
通常その長さがそれらの断面の直径よりはるかに大きく、任意の材料、好ましくは銅またはアルミニウムで構成された長尺中空体の形状のチューブが、温度制御媒体ライン２４および保護ガスライン２６として用いられる。
【００４１】
これによって、保護ガスライン２６と温度制御媒体ライン２４とは異なる直径および／または異なる肉厚を有するようにすることができる。肉厚が薄いと、保護ガスライン２６は確実に温度制御媒体ライン２４よりも裂けやすくなる。直径が小さいと、保護ガスライン２６は、遠心分離機容器１６と温度制御媒体ライン２４の巻線５０との間の自由空間に配置されることになる。
【００４２】
代替的に、保護ガスライン２６および温度制御媒体ライン２４の巻線３６、５０は、温度制御媒体ライン２４が遠心分離機容器１６に直接配置されるように、たとえばマルチチャネル解決策（図示せず）として互いに隣に平行に延在し得る。
【００４３】
さらに、温度制御媒体ライン２４および／または保護ガスライン２６は、少なくとも部分的に遠心分離機容器１６（図示せず）を形成し、これによって、必要とされる設置スペースが減少するとしてもよい。
【００４４】
動作中、遠心分離機１０のこのような設計は、遠心分離機ローター２０の衝突の際であっても可燃性焼戻し媒体の発火を効果的に予防する。なぜなら、そのような衝突の際には、遠心分離機容器１６が壊れた後で遠心分離機ローター２０の構成要素が保護ガスライン２６を損傷させて、保護ガスを逃がすからである。
【００４５】
保護ガスは大気圧より高い圧力であるため、保護ガスは遠心分離機１０の内部全体に流入し、内部の空気内の酸素に置換し、漏れている可能性のある焼戻し剤を希釈する。遠心分離機１０外への生成された流れのために、発生している混合物はさらにかき混ぜられ、周囲空気でさらに希釈される。これによって、発火しやすい混合物の形成が防止される。
【００４６】
この安全機能を監視するために、遠心分離機１０の動作中に保護ガス容器３４内の保護ガスの量および／または圧力を継続して監視する圧力モニター３８が設けられている。圧力モニター３８が、特定の遠心分離機１０に適合させた、事前に定義された値より低い保護ガスの状態を検出する場合、遠心分離機１０が遠心分離機ローター２０、２０’を全く始動させないように、必要であればエラーメッセージを出すような態様、または衝突が温度制御媒体ライン２４を損傷させるようなエネルギーを放出できないような非臨界最高速度まで遠心分離機ローター２０、２０’を動作可能な態様のいずれかで、遠心分離機１０の制御システム（図示せず）において介在する。この最高速度は、一連の試験で前もって決められる。
【００４７】
周囲空気およびそれゆえ大気酸素が長時間置換されるように保護ガス容器３４と保護ガスライン２６との間のスロットル要素（図示せず）を用いて流出時間が調整され、漏れている焼戻し媒体は、漏れている保護ガスと混合され、これによって拡散される。
【００４８】
ＤＩＮ  ＥＮ  ３７８に係る遠心分離機１０の動作中に継続して動作するファン（図示せず）を設けることによって、温度制御媒体ライン２４内の漏れから発火しやすい混合物が形成されるリスクが、さらに筐体１２内で回避される。
【００４９】
上記の説明から、本発明が、それを用いて可燃性焼戻し媒体を焼戻しプロセスの枠内で安全上の懸念を生じることなく使用することも可能な遠心分離機１０を提供することは明らかである。
【００５０】
他に記載がない限り、本発明の全ての特徴は自由に組合せ得る。さらに、図面の説明で記載された特徴は、記載がない限り、本発明の特徴として他の特徴と自由に組合わせることができる。このため、遠心分離機の本質的な特徴は、方法の特徴として別の形で表現された方法の枠内でも使用可能であり、遠心分離機の枠内の方法の特徴は、遠心分離機の特徴として別の形で表現可能である。
【符号の説明】
【００５１】
参照符号のリスト
１０        本発明に係る遠心分離機、実験用遠心分離機
１２        筐体
１４        カバー
１５        動作前部
１６        遠心分離機容器
１８        遠心分離機モーター
２０        遠心分離機ローター、スイングアウトローター
２０’      遠心分離機ローター、固定角ローター
２２        遠心分離機ビーカー
２４        温度制御媒体ライン
２６        保護ガスライン
２８、３０  保護ガスライン２６の端部
３２        保護ガス容器３４の供給ライン
３４        保護ガス容器
３６        保護ガスライン２６の巻線
３８        圧力スイッチ
４０        プラグ
４２        圧縮機
４４        フィルタ乾燥機
４６        ベースプレート
４８        保護カバー
４９        断熱体
５０        保護ガスライン２６の巻線３６の上方に位置する、温度制御媒体ライン２４の巻線
５２        保護ガスライン２６の隣に配置された温度制御媒体ライン２４の巻線５２
５４        保護ガスライン２６の巻線３６と温度制御媒体ライン２４の巻線５０との間の半田付け接続
【図１】
2021506582.tif 000003
【図２】
2021506582.tif 000004
【図３】
2021506582.tif 000005
【図４】
2021506582.tif 000006
【国際調査報告】
2021506582.tif 000007
2021506582.tif 000008
2021506582.tif 000009
2021506582.tif 000010